(57)【特許請求の範囲】
【請求項１】
ウエットティッシュと、該ウエットティッシュを収納する収納体とを備え、該収納体には上記ウエットティッシュ取り出し用の取出口が形成され、該取出口は該収納体に剥離自在に貼付される開閉蓋用ラベルにより被覆されているウエットティッシュ包装体において、
上記収納体は、両端が開口された略四角筒状の包装材により略矩形体に形成されており、
上記略四角筒状の包装材は、１枚のシート状部材の長手方向両側縁部の内面同士を重合・接合して形成した筒状体を、略四角筒状になしたものであり、
上記取出口は上記包装材における一面に形成されており、
上記包装材における上記一面の両側縁部及び／又は該一面と対向する他面の両側縁部はそれぞれ自立性を有するようにヘムシール加工により硬度を高められており、
上記一面と上記他面とは開口された上記両端において封着され、封着された該両端は、それぞれ上記一面が上記略矩形体における相対向する２つの面を形成するように上記他面を内側にして折曲され、互いに対向する該他面同士がホットメルト接着剤により固着されている
ことを特徴とするウエットティッシュ包装体。
【発明の詳細な説明】
【０００１】
【発明の属する技術分野】
本発明は、ウエットティッシュと、該ウエットティッシュを収納する収納体とを備えたウエットティッシュ包装体に関し、更に詳しくは、積み上げ保管が可能で、容易に開閉蓋用ラベルを貼付・剥離でき且つウエットティッシュを取り出し易く、低廉に製造できるウエットティッシュの包装体に関する。
【０００２】
【従来の技術及び発明が解決しようとする課題】
従来より、清拭剤や化粧料を含浸させたウエットティッシュを収納体に収納したウエットティッシュ包装体はよく知られている。図３は、この様な従来のウエットティッシュ包装体の一例を示すもので、ウエットティッシュ包装体１００は、ウエットティッシュ１１１と該ウエットティッシュ１１１を収納する収納体１１２とを備え、該収納体１１２には上記ウエットティッシュ取り出し用の取出口１１３が形成され、該取出口１１３は該収納体１１２に剥離自在に貼付される開閉蓋用ラベル１１４により被覆されている。
収納体１１２は、筒状に形成された包装材の開口された両端を封着して形成されている。包装材としては、携帯し易さ等を考慮して軟質のフィルム状材料が用いられており、その結果、収納体１１２は、保型性に欠けたものとなっていた。そのため、従来のウエットティッシュ包装体１００は、複数個を積み重ねると崩れやすく積み上げ保管が困難だったり、開閉蓋用ラベル１１４の剥離や貼付がし難かったり、また、ウエットティッシュ１１１を取り出し難い等の問題点があった。
【０００３】
保型性を増加させるためには、従来より、実公昭６０−３７３２９号公報に記載されるように、収納体の上面とウエットティッシュとの間に合成樹脂製等のプレートを介装する技術がある。しかしこの従来技術では、プレートを特別に製造し且つそれを介在させる必要があり、また使用後の廃棄に際して問題点があった。
【０００４】
従って、本発明の目的は、積み上げ保管が可能で、容易に開閉蓋用ラベルを貼付・剥離でき且つウエットティッシュを取り出し易いウエットティッシュの包装体を提供することにある。
【０００５】
【課題を解決するための手段】
本発明は、ウエットティッシュと、該ウエットティッシュを収納する収納体とを備え、該収納体には上記ウエットティッシュ取り出し用の取出口が形成され、該取出口は該収納体に剥離自在に貼付される開閉蓋用ラベルにより被覆されているウエットティッシュ包装体において、上記収納体は、両端が開口された略四角筒状の包装材により略矩形体に形成されており、上記略四角筒状の包装材は、１枚のシート状部材の長手方向両側縁部の内面同士を重合・接合して形成した筒状体を、略四角筒状になしたものであり、上記取出口は上記包装材における一面に形成されており、上記包装材における上記一面の両側縁部及び／又は該一面と対向する他面の両側縁部はそれぞれ自立性を有するようにヘムシール加工により硬度を高められており、上記一面と上記他面とは開口された上記両端において封着され、封着された該両端は、それぞれ上記一面が上記略矩形体における相対向する２つの面を形成するように上記他面を内側にして折曲され、互いに対向する該他面同士がホットメルト接着剤により固着されていることを特徴とするウエットティッシュ包装体を提供することにより、上記目的を達成したものである。
【０００６】
【発明の実施の形態】
以下、本発明のウエットティッシュ包装体の一実施形態を図面を参照しながら具体的に説明する。尚、本実施形態のウエットティッシュ包装体は、本発明を、乳幼児のおしり拭き用ウエットティッシュの包装体に適用したものである。
図１は、本発明のウエットティッシュ包装体の一実施形態を示す斜視図である。
【０００７】
本実施形態のウエットティッシュ包装体１は、図１に示す様に、ウエットティッシュ１１と、該ウエットティッシュ１１を収納する収納体１２とを備え、該収納体１２には上記ウエットティッシュ取り出し用の取出口１３が形成され、該取出口１３は該収納体１２に剥離自在に貼付される開閉蓋用ラベル１４により被覆されている。これらの各構成については従来の公知技術と同じである。
【０００８】
而して、本実施形態のウエットティッシュ包装体１では、上記収納体１２は、両端が開口された略四角筒状の包装材により略矩形体に形成されており、上記取出口１３は上記包装材における一面１２ａに形成されている。上記一面１２ａの両側縁部１２ａ’，１２ａ’及び該一面１２ａと対向する他面１２ｂの両側縁部１２ｂ’，１２ｂ’（うち１つは図示せず）はそれぞれ自立性を有するように硬度を高められており、上記一面１２ａと上記他面１２ｂとは開口された上記両端において封着されている。この封着された該両端１２ｄ，１２ｄはそれぞれ、上記一面１２ａが上記略矩形体における相対向する２つの端面１２ｅ，１２ｅ（うち１つは図示せず）を形成するように固定されている。
【０００９】
本実施形態について詳述すると、上記包装材は、１枚のシート状部材の長手方向両側縁部の内面同士を重合・接合して形成した筒状体を、略四角筒状になしたものであり、上記一面１２ａの両側縁部１２ａ’，１２ａ’及び上記他面１２ｂの両側縁部１２ｂ’，１２ｂ’（うち１つは図示せず）は、ヘムシール加工により硬度を高められている。上記シート状部材は厚さが５９μｍであり、該シート状部材としては、ポリエチレンテレフタレート製、アルミニウム製又は結晶性ポリプロピレン製のもの等を用いることができる。
【００１０】
本実施形態について更に詳述すると、上記包装材の一面１２ａの両側縁部１２ａ’，１２ａ’及び他面１２ｂの両側縁部１２ｂ’，１２ｂ’（うち１つは図示せず）は、それぞれの面と隣接する側面１２ｇ，１２ｇ（うち１つは図示せず）との間で２〜７ｍｍ、望ましくは、３〜５ｍｍの幅でヘムシール加工を施されることにより硬度を高められ、ヘムシール加工部１２Ｓは、上記一面１２ａ又は他面１２ｂの延長上に配置されている。また、内面同士が重合・接合された重合部１２ｋは、他面１２ｂの中央に配置されている。
そして、上記包装材の開口された両端は、従来技術のウエットティッシュ包装体の両端と同様の手法により封着されており、封着された上記両端１２ｄ，１２ｄが他面１２ｂを内側にして折曲され、互いに対向する他面同士がホットメルト接着剤により固着され、略矩形体の収納体１２が形成されている。
上記取出口１３は、上記一面１２ａの中央部を楕円形形状に開口することにより形成されており、略矩形体に形成された収納体１２における上面１２Ｔに配置されている。
【００１１】
上記開閉蓋用ラベル１４は、一端に舌状の摘み部１４ａの設けられた略矩形形状をしている。そして一面の周縁には摘み部１４ａを除いて感圧接着剤１５が塗布されており、開閉蓋用ラベル１４はこの感圧接着剤１５を介して収納体１２に貼付され、収納体１２に対して繰り返し剥離・貼付できるようになっている。
上記ウエットティッシュ１１は、パルプ不織布に清拭剤を含浸させたものであり、各シートがその上下のシートと噛み合った状態で折り畳まれて、ポップアップ式に取り出し可能に上記収納体１２に収納されている。
【００１２】
上述の構成を有する本実施形態のウエットティッシュ包装体１では、収納体１２の上面１２Ｔ及び該上面１２Ｔに対向する底面（図示せず）それぞれの両側縁部が、包装材の硬度を高められた側縁部１２ａ’，１２ａ’，１２ｂ’，１２ｂ’（うち１つは図示せず）で形成されている。更に、収納体１２の両端面１２ｅ，１２ｅ（うち１つは図示せず）の両鉛直側縁部１２ｖ，１２ｖ，１２ｖ，１２ｖ（うち１つは図示せず）も、包装材の硬度を高められた側縁部１２ａ’，１２ａ’で形成されている。その結果、収納体１２の保型性が高く保持されている。
【００１３】
従って、本実施形態のウエットティッシュ包装体１によれば、複数のウエットティッシュ包装体１を積み上げてもくずれ難く、容易に積み上げ保管することができる。また、開閉蓋用ラベル１４を収納体１２に対して容易に貼付・剥離して取出口１３を開閉することができる。更にウエットティッシュ１１を取り出すのも容易である。
本実施形態のウエットティッシュ包装体１によれば、保型性を高めるために特別な部材を用いていないので製造コストを低廉に抑えることができる。
【００１４】
本発明は上述した実施形態に限定されるものではなく、本発明の趣旨を逸脱しない限り適宜変更可能である。例えば、一面１２ａの両側縁部１２ａ’，１２ａ’及び他面１２ｂの両側縁部１２ｂ’，１２ｂ’（うち１つは図示せず）の全てが硬度を高められていなくてもよく、一面１２ａの両側縁部１２ａ’，１２ａ’のみ、又は他面１２ｂの両側縁部１２ｂ’，１２ｂ’（うち１つは図示せず）のみが、硬度を高められていてもよい。尚、一面１２ａの両側縁部１２ａ’，１２ａ’のみ、又は他面１２ｂの両側縁部１２ｂ’，１２ｂ’（うち１つは図示せず）のみの硬度を高める場合には、一面１２ａの両側縁部１２ａ’，１２ａ’の硬度を高めるのが好ましい。両端面１２ｅ，１２ｅ（うち１つは図示せず）の両鉛直側縁部１２ｖ，１２ｖ，１２ｖ，１２ｖ（うち１つは図示せず）が全長に亘って硬度を高められ、積み上げ保管性を向上させることができるからである。
【００１５】
また、ヘムシール加工は、必ずしも幅２〜７ｍｍで施される必要はないが、幅２〜７ｍｍで施されていることが好ましく、３〜５ｍｍで施されていることが一層好ましい。２ｍｍよりも少ない幅ではヘムシール加工が技術的に困難であり、７ｍｍよりも大きい幅では、ヘムシール加工に要するコストに比して効果が少ないからである。封着された両端１２ｄ，１２ｄは、ホットメルト接着剤により固着されず、他の手法により固定されていてもよい。尚、略四角筒状の包装材の４つの角は全てが９０°をなしていなくてもよく、Ｒが付されていてもよい。
【００１６】
また、開閉蓋用ラベルを、図２に示す様な構成とすることもできる。この開閉蓋用ラベル２４は、一端部と他端部の２箇所に摘み部２４ａ，２４ｂを形成するとともに上記一端部の近傍の両側縁から該一端部側へ向けた切り込み部２４ｃを備えており、一端部の摘み部２４ａから剥離すると全剥離され、他端部の摘み部２４ｂから剥離すると剥離が切り込み部２４ｃで停止されて確実に繰り返し剥離・貼付できるようになしてある。この様な開閉蓋用ラベル２４を用いたウエットティッシュ包装体２では、開閉蓋用ラベル２４を全剥離、繰り返し開閉の両方を選択して使用することが可能である。
本発明のウエットティッシュ包装体は、上述の実施形態のお尻拭き等のウエットティッシュ包装体１のように清拭剤を含浸させたウエットティッシュの包装体の他、化粧料を含浸させたウエットティッシュの包装体等であってもよい。
【００１７】
【発明の効果】
以上説明したように、本発明のウエットティッシュ包装体によれば、積み上げ保管が可能で、開閉蓋用ラベルの貼付・剥離及びウエットティッシュの取り出しが容易であり、低廉な製造が可能である。
【図面の簡単な説明】
【図１】本発明のウエットティッシュ包装体の一実施形態を示す斜視図である。
【図２】本発明のエットティッシュ包装体の他の例を示す平面図である。
【図３】従来技術のウエットティッシュ包装体を示す斜視図である。
【符号の説明】
１    ウエットティッシュ包装体
２    ウエットティッシュ包装体
１１    ウエットティッシュ
１２    収納体
１２ａ  一面
１２ａ’（一面の）側縁部
１２ｂ  他面
１２ｂ’（他面の）側縁部
１２ｄ  両端
１２ｅ  端面
１２ｇ  側面
１２ｋ  重合部
１２Ｓ  ヘムシール加工部
１２Ｔ  上面
１２ｖ  鉛直側縁部
１３    取出口
１４    開閉蓋用ラベル
１４ａ  摘み部
１５    感圧接着剤
２４    開閉蓋用ラベル
２４ａ  摘み部
２４ｂ  摘み部
２４ｃ  切り込み部
【図１】
0003794746.tif 000002
【図２】
0003794746.tif 000003
【図３】
0003794746.tif 000004